(57)【要約】【課題】より簡易に取付パネルへ固定することができる回路遮断器を提供する。【解決手段】ロック部材３０を、ロック部３３ｂが本体ケース４の底面よりも下方に突出したロック位置に位置するロック姿勢と、ロック部３３ｂがロック位置よりも前側で、且つ、本体ケース４の底面よりも上方となるアンロック位置に位置するアンロック姿勢との間で姿勢変更自在に設けた。また、ロック部材３０に、アンロック姿勢側への姿勢変更に応じてロック姿勢側への付勢力を生じ、ロック姿勢へ復帰させる可撓部３３を設けた。そして、前掛止片８を前スリット２１に挿通させ、前掛止片８が前スリット２１の後端に掛止されるように回路遮断器１を後側へ押し込むだけで、ロック部材３０が自動的にロック姿勢からアンロック姿勢へと姿勢を変更した後、最終的にロック姿勢へ復帰して回路遮断器１が取付パネル２０へ固定されるようにした。【選択図】図４
2018186049.tif 000002
【特許請求の範囲】
【請求項１】
本体ケースの底面から下方へ鉤状の掛止片が突設されているとともに、前記本体ケースの底部に、前記本体ケースの底面から下方へ突出可能なロック部を備えたロック部材が設けられており、
取付パネルに開設されたスリットに前記掛止片を挿通させ、前記本体ケースを所定の押し込み方向へ押し込むことにより前記スリットの長手方向の一端に前記掛止片を掛止させるとともに、前記掛止片と前記スリットの一端との掛止状態において、前記ロック部が前記スリット内に位置し、前記スリットの他端と前記ロック部とが当接することにより前記取付パネルに固定される回路遮断器であって、
前記ロック部が前記本体ケースの底面よりも下方に突出したロック位置に位置するロック姿勢と、前記ロック部が前記ロック位置よりも反押し込み方向側で、且つ、前記本体ケースの底面よりも上方となるアンロック位置に位置するアンロック姿勢との間で、前記ロック部材が姿勢を変更自在に設けられているとともに、
前記ロック部材に、前記アンロック姿勢側への姿勢変更に応じて前記ロック姿勢側への付勢力を生じ、前記ロック姿勢へ復帰させる弾性手段が設けられていることを特徴とする回路遮断器。
【発明の詳細な説明】
【技術分野】
【０００１】
本発明は、たとえば分電盤内等に設置される回路遮断器に関するものである。
【背景技術】
【０００２】
従来、回路遮断器を分電盤内に設置する際には、取付パネルを介することが一般的である。そして、回路遮断器を取付パネルに固定する一般的な構造としては、取付パネルにスリットを開設するとともに、回路遮断器の底面に、スリットに掛止する掛止片を設けるといった構造があり、回路遮断器の電源側端子側を後側、負荷側端子側を前側とすると、スリットを介して掛止片を取付パネルの下側まで突出させた後、回路遮断器を後側へ押し込むことで、スリットの後端に掛止片を掛止させるようになっている。ただ、当該状態のままでは回路遮断器を固定したことにはならない。そこで、たとえば特許文献１に記載の発明では、回路遮断器に、上下方向へのスライド操作によって本体ケース内へ埋入／本体ケースから突出するロックレバーを設けており、スリットと掛止片との掛止状態においてロックレバーを下方へスライドさせて本体ケースから突出させ、ロックレバーとスリットの前端とを当接させることにより、自身の前側への移動が規制されるようにしている。
【先行技術文献】
【特許文献】
【０００３】
【特許文献１】特許第４１５３１５５号公報
【発明の概要】
【発明が解決しようとする課題】
【０００４】
しかしながら、上記特許文献１に記載の発明では、特に回路遮断器の取付パネルへの固定時に一々ロックレバーを操作しなければならず、作業が煩わしい、ロックのし忘れが起こる等の問題があった。
【０００５】
そこで、本発明は、上記問題に鑑みなされたものであって、より簡易に取付パネルへ固定することができる回路遮断器を提供しようとするものである。
【課題を解決するための手段】
【０００６】
上記目的を達成するために、本発明は、本体ケースの底面から下方へ鉤状の掛止片が突設されているとともに、前記本体ケースの底部に、前記本体ケースの底面から下方へ突出可能なロック部を備えたロック部材が設けられており、取付パネルに開設されたスリットに前記掛止片を挿通させ、前記本体ケースを所定の押し込み方向へ押し込むことにより前記スリットの長手方向の一端に前記掛止片を掛止させるとともに、前記掛止片と前記スリットの一端との掛止状態において、前記ロック部が前記スリット内に位置し、前記スリットの他端と前記ロック部とが当接することにより前記取付パネルに固定される回路遮断器であって、前記ロック部が前記本体ケースの底面よりも下方に突出したロック位置に位置するロック姿勢と、前記ロック部が前記ロック位置よりも反押し込み方向側で、且つ、前記本体ケースの底面よりも上方となるアンロック位置に位置するアンロック姿勢との間で、前記ロック部材が姿勢を変更自在に設けられているとともに、前記ロック部材に、前記アンロック姿勢側への姿勢変更に応じて前記ロック姿勢側への付勢力を生じ、前記ロック姿勢へ復帰させる弾性手段が設けられている。
【発明の効果】
【０００７】
本発明によれば、ロック部が本体ケースの底面よりも下方に突出したロック位置に位置するロック姿勢と、ロック部がロック位置よりも反押し込み方向側で、且つ、本体ケースの底面よりも上方となるアンロック位置に位置するアンロック姿勢との間で、ロック部材が姿勢を変更自在に設けられているとともに、ロック部材に、アンロック姿勢側への姿勢変更に応じてロック姿勢側への付勢力を生じ、ロック姿勢へ復帰させる弾性手段が設けられている。そのため、掛止片をスリットに挿通させ、掛止片がスリットの一端に掛止されるように回路遮断器を押し込むだけで、ロック部材が自動的にロック姿勢からアンロック姿勢へと姿勢を変更した後、最終的にロック姿勢へ復帰して回路遮断器が取付パネルへ固定されることになる。すなわち、作業者は、一々ロック部材を操作せずとも、回路遮断器を取付パネルへ固定することができる。したがって、従来よりも簡易に回路遮断器を取付パネルへ固定することができる。
【図面の簡単な説明】
【０００８】
【図１】取付パネルへ固定された状態にある回路遮断器を示した斜視説明図である。
【図２】取付パネルへ固定された状態にある回路遮断器を側方から示した説明図である。
【図３】ロック部材を示した説明図であり、（ａ）は側面図、（ｂ）は前面図、（ｃ）は背面図である。
【図４】ロック部材により回路遮断器がロックされた状態を示した説明図である。
【図５】ロック部材によるロックが解除された状態を示した説明図である。
【発明を実施するための形態】
【０００９】
以下、本発明の一実施形態となる回路遮断器について、図面にもとづき詳細に説明する。
図１は、取付パネル２０へ固定された状態にある回路遮断器１を示した斜視説明図であり、図２は、同状態にある回路遮断器１を側方から示した説明図である。図３は、ロック部材３０を示した説明図であり、（ａ）は側面図、（ｂ）は前面図、（ｃ）は背面図である。図４は、ロック部材３０により回路遮断器１がロックされた状態を示した説明図であり、図５は、ロック部材３０によるロックが解除された状態を示した説明図である。なお、負荷側端子３側を回路遮断器１の前側として説明する。
【００１０】
回路遮断器１は、合成樹脂製の左右一対のケースを組み立ててなる本体ケース４を有しており、本体ケース４の上面には、ハンドル７が前後方向へ回動操作可能に設けられている。そして、ハンドル７を回動操作することで、本体ケース４内に組み込まれている図示しない遮断機構が作動し、後述する電源側端子２と負荷側端子３とを電気的につなぐ電路が接続／開放されるようになっている。また、本体ケース４の底面には、後方へ折れ曲がる鉤状に成形された一組の掛止片（前掛止片８及び後掛止片９）が下方へ突設されている。なお、本体ケース４内には、図示しない過電流検知機構も設けられており、過電流を検知すると上記遮断機構が開動作するようになっている。
【００１１】
また、回路遮断器１の後面には、プラグイン方式の端子Ｐ１、Ｐ２、Ｐ３を上下方向へ一列に備えてなる電源側端子２が配置されている。各端子Ｐ１〜Ｐ３は、本体ケース４を左右方向に貫通したコ字状に切り欠いて形成されており、分電盤内等に配設される電源ラインである導体バー（図示せず）や該導体バーから分岐された分岐バー（図示せず）を挿入接続可能となっている。
【００１２】
一方、回路遮断器１の前面は、前側へ向かって下降傾斜する傾斜面に形成されており、該傾斜面には、負荷配線（図示せず）を挿入接続可能な３つの端子Ｌ１、Ｌ２、Ｌ３（なお、端子Ｌ２に関してはカバー部材１０により覆われているため図示しない）を傾斜方向へ一列に備えてなる負荷側端子３が配置されている。各端子Ｌ１〜Ｌ３は、傾斜面に直交する方向へ負荷配線を挿入可能な端子孔５を有するとともに、本体ケース４内における端子孔５の内側となる位置に設置され、端子孔５を介して挿入された負荷配線に接触可能とされた端子金具（図示せず）を有しており、所謂速結端子として機能するようになっている。
【００１３】
また、各端子Ｌ１〜Ｌ３では、端子孔５の下側に隣接して、絶縁抵抗測定試験を行うための計器の測定端子を差し込み可能な差込孔６が開設されている。各差込孔６は、測定端子の差し込み方向が上下方向となるように、すなわち負荷配線の挿入方向とは異なる方向となるように開設されている。また、本体ケース４における差込孔６の内側となる位置には、隣接した端子孔５の内側にある端子金具に接触する測定用金具（図示せず）が配置されている。さらに、回路遮断器１の前面には、端子Ｌ１〜Ｌ３のうち使用しない端子及び差込孔６を被覆するカバー部材１０が、案内壁１１に沿ってスライド可能に取り付けられている。
【００１４】
加えて、本体ケース４の底部前端には、下方へ開口しており、後述するロック部材３０の一部を収納可能な収納凹部２５が設けられている。また、本体ケース４の前面底部には、後側へ凹んだ凹部２７が設けられているとともに、当該凹部２７に、収納凹部２５と連通する切り欠き２６が設けられている。そして、収納凹部２５、切り欠き２６、及び凹部２７を利用して、回路遮断器１の取付パネル２０からの脱落を防止するためのロック部材３０が組み付けられている。
【００１５】
ロック部材３０は、上下方向へ延びる帯状の立ち上げ部３１ａ、及び立ち上げ部３１ａの上端から前側へ突出する摘み部３１ｂを備えた操作片３１と、操作片３１（特に立ち上げ部３１ａの上部）の後側に位置し、自身を本体ケース４に固定するためのブロック状の固定部３２と、弾性を有しており、後側へ膨出しつつ立ち上げ部３１ａの下端と固定部３２の後面とを連結する連結部３３ａ、及び連結部３３ａの立ち上げ部３１ａ側の端部から下方へ突出するロック部３３ｂを一体的に備えた可撓部３３とを有してなる。当該ロック部材３０は、固定部３２が収納凹部２５内に固定され、操作片３１が切り欠き２６を介して本体ケース４の前方に突出した状態で組み付けられている。
【００１６】
そして、上記ロック部材３０は、通常（ロック部材３０に上方への負荷がかけられていない状態）、操作片３１が略垂直方向に立ち上がり、ロック部３３ｂが本体ケース４の底面よりも下方へ突出したロック位置にあるロック姿勢をとっている。また、直接ロック部３３ｂに前側斜め上方への負荷がかかったり、操作片３１が上方へ引き上げ操作されたりすると、可撓部３３が撓んで後傾姿勢、すなわちアンロック姿勢へと姿勢を変更する。そして、このアンロック姿勢への姿勢変更に伴い、ロック部３３ｂは、切り欠き２６内（すなわち、ロック位置よりも前側で、且つ、本体ケース４の底面よりも上方）のアンロック位置へ移動することになる。なお、ロック部３３ｂの一部は、アンロック位置においても切り欠き２６を介して凹部２７内へ突出している。そして、ロック位置とアンロック位置との間での移動に際して、ロック部３３ｂ全体が本体ケース４内に埋入することは一度もなく、常に一部が本体ケース４外にあるようになっている。また、ロック部材３０の姿勢変更に伴い可撓部３３が撓むことで、可撓部３３にロック姿勢側への付勢力が生じる。したがって、ロック部材３０にかかる負荷が解除されると、可撓部３３に生じている付勢力によりロック部材３０は自動的にロック姿勢へと復帰する。
【００１７】
一方、取付パネル２０は、従来周知のものであって、前掛止片８を挿通可能な前スリット２１と、後掛止片９を挿通可能な後スリット２２とが開設されてなる。そして、この前スリット２１及び後スリット２２は、回路遮断器１の並設方向へ所定間隔毎に複数設けられている。なお、前スリット２１の前後長さと、ロック位置にあるロック部３３ｂと前掛止片８の折れ曲がり部との前後方向での距離とは略同じ（厳密には、僅かに前スリット２１の前後長さの方が長い）となっている。
【００１８】
ここで、上記ロック部材３０を有する回路遮断器１の取付パネル２０への着脱作業について説明する。
まず、回路遮断器１を取付パネル２０に固定するにあたっては、前掛止片８を前スリット２１に、後掛止片９を後スリット２２に夫々挿通させるとともに、ロック位置にあるロック部３３ｂを、前スリット２１よりも前側において取付パネル２０表面上に載置させた状態とする（図５）。そして、当該状態から、前掛止片８が前スリット２１の後端に、後掛止片９が後スリット２２の後端に夫々掛止するように、回路遮断器１を後側へ押し込めばよい。すると、回路遮断器１の後側への移動に伴い、ロック部３３ｂに直接前側斜め上方への負荷がかかるため、ロック部材３０はアンロック姿勢側へ自動的に姿勢変更し、ロック部３３ｂもアンロック位置側へ移動する。そして、前掛止片８が前スリット２１の後端に、後掛止片９が後スリット２２の後端に夫々掛止する位置に達したことをもって、ロック部３３ｂも前スリット２１の前端際に達すると、可撓部３３に生じている付勢力によりロック部材３０がロック姿勢へ自動的に復帰し、ロック部３３ｂも前スリット２１内へ突出してロック位置へ復帰する。すると、当該ロック部３３ｂが前スリット２１の前端に当接し（図４）、回路遮断器１が取付パネル２０へ固定されることになる。このように回路遮断器１の固定については、作業者によるロック部材３０の操作を必要としない。
【００１９】
一方、回路遮断器１を取付パネル２０から取り外すにあたっては、ロック部３３ｂによる保持力に抗して操作片３１を引き上げ操作し、ロック部３３ｂを前スリット２１の前端際に乗り上げさせることにより、ロック部材３０をアンロック姿勢とし、ロック部３３ｂと前スリット２１の前端との干渉を解除する（図５）。すると、前掛止片８と前スリット２１との掛止状態、及び後掛止片９と後スリット２２との掛止状態も夫々解除となる。そこで、回路遮断器１を更に前側へ引き出しつつ、前掛止片８を前スリット２１から、後掛止片９を後スリット２２から夫々抜き取ればよい。
【００２０】
以上のような構成を有する回路遮断器１によれば、ロック部３３ｂが本体ケース４の底面よりも下方に突出したロック位置に位置するロック姿勢と、ロック部３３ｂがロック位置よりも前側（反押し込み方向側）で、且つ、本体ケース４の底面よりも上方となるアンロック位置に位置するアンロック姿勢との間で、ロック部材３０が姿勢を変更自在に設けられている。また、ロック部材３０に、アンロック姿勢側への姿勢変更に応じてロック姿勢側への付勢力を生じ、ロック姿勢へ復帰させる可撓部３３が設けられている。そのため、前掛止片８を前スリット２１に挿通させ、前掛止片８が前スリット２１の後端に掛止されるように回路遮断器１を後側へ押し込むだけで、ロック部材３０が自動的にロック姿勢からアンロック姿勢へと姿勢を変更した後、最終的にロック姿勢へ復帰して回路遮断器１が取付パネル２０へ固定されることになる。すなわち、作業者にしてみると、回路遮断器１の取付パネル２０への固定に際して、一々ロック部材３０を操作する必要がない。したがって、従来よりも簡易に回路遮断器１を取付パネル２０へ固定することができる。
【００２１】
なお、本発明の回路遮断器に係る構成は、上記実施形態の態様に何ら限定されるものではなく、回路遮断器の全体的な構造は勿論、ロック部材や取付パネルへの固定に係る構成等についても、本発明の趣旨を逸脱しない範囲で、必要に応じて適宜変更することができる。
【００２２】
たとえば、上記実施形態では、本体ケースの底面に２つの掛止片を設けているが、１つしか設けないとしてもよいし、掛止片の方向についても前側に折れ曲がるような鉤状であってもよく、そのような掛止片の形状の違いやスリットの長さ等に応じて、ロック部材の位置も適宜変更可能である。
また、上記実施形態では、弾性手段を可撓部としているが、弾性手段としてコイルバネを取り付けてもよく、どのような弾性手段を設けるかは適宜設計変更可能である。
【符号の説明】
【００２３】
１・・回路遮断器、２・・電源側端子、３・・負荷側端子、４・・本体ケース、８・・前掛止片、９・・後掛止片、２０・・取付パネル、２１・・前スリット、２２・・後スリット、２５・・収納凹部、２６・・切り欠き、３０・・ロック部材、３１・・操作片、３２・・固定部、３３・・可撓部（弾性手段）、３３ａ・・連結部、３３ｂ・・ロック部。
【図１】
2018186049.tif 000003
【図２】
2018186049.tif 000004
【図３】
2018186049.tif 000005
【図４】
2018186049.tif 000006
【図５】
2018186049.tif 000007